(57)【要約】【課題】固定向けデジタル放送と移動体向けデジタル放送とを切り替える場合に、音質の劣化を低減しつつ、音声の途切れ時間を短縮すること。【解決手段】移動体に搭載され、地上波デジタルテレビジョン放送を受信し、表示する移動体用デジタル放送受信装置に、固定受信装置向けデジタル放送と、移動体受信装置向けデジタル放送とを受信状況に応じて切り替える手段と、切り替えられた地上波デジタルテレビジョン放送に対応する映像信号を復号する手段と、切り替えられた地上波デジタルテレビジョン放送に対応する音声信号を復号する手段と、復号された映像及び音声を同期させて出力する手段とを有する。出力する手段は、復号された順に、復号された音声信号及び映像信号を出力する。【選択図】図１
2009212779.tif 000002
【特許請求の範囲】
【請求項１】
移動体に搭載され、地上波デジタルテレビジョン放送を受信し、表示する移動体用デジタル放送受信装置であって、前記地上波デジタルテレビジョン放送は、固定受信装置向けデジタル放送と、移動体受信装置向けデジタル放送とを含み、
前記固定受信装置向けデジタル放送と、前記移動体受信装置向けデジタル放送とを受信状況に応じて切り替える切り替え手段と、
前記切り替えられた地上波デジタルテレビジョン放送に対応する映像信号を復号する映像信号復号手段と、
前記切り替えられた地上波デジタルテレビジョン放送に対応する音声信号を復号する音声信号復号手段と、
前記復号された映像及び音声を同期させて出力する出力手段と
を有し、
前記出力手段は、復号された順に、復号された音声信号及び映像信号を出力することを特徴とする移動体用デジタル放送受信装置。
【請求項２】
請求項１に記載の移動体用デジタル放送受信装置において、
前記映像信号には、対象とする映像と、該対象とする映像の以前の再生映像との変化量を示す差分情報が含まれ、
前記出力手段は、前記映像信号復号手段に差分情報が入力された場合に、音声を出力した後に、該音声に同期させて映像を出力することを特徴とする移動体用デジタル放送受信装置。
【請求項３】
移動体に搭載され、地上波デジタルテレビジョン放送を受信し、表示する移動体用デジタル放送受信装置における制御方法であって、
前記地上波デジタルテレビジョン放送は、固定受信装置向けデジタル放送と、移動体受信装置向けデジタル放送とを含み、
前記固定受信装置向けデジタル放送と、前記移動体受信装置向けデジタル放送とを受信状況に応じて切り替える切り替えステップと、
前記切り替えられた地上波デジタルテレビジョン放送に対応する映像信号を復号する映像信号復号ステップと、
前記切り替えられた地上波デジタルテレビジョン放送に対応する音声信号を復号する音声信号復号ステップと、
前記復号された映像及び音声を同期させて出力する出力ステップと
を有し、
前記出力ステップは、復号された順に、復号された音声信号及び映像信号を出力することを特徴とする制御方法。
【発明の詳細な説明】
【技術分野】
【０００１】
本発明は、移動体用デジタル放送受信装置に係り、特に、固定向けデジタル放送と移動体向けデジタル放送とを適宜選択して利用者に対して出力する移動体用デジタル放送受信装置及びその制御方法に関する。
【背景技術】
【０００２】
車両などの移動体に搭載され、地上波デジタルテレビジョン放送としての、鮮明画像の提供が可能な高ビットレートの固定向けデジタル放送と、移動体での受信に適した低ビットレートの移動体向けデジタル放送と、を共に受信し得るデジタル放送受信装置が知られている。
【０００３】
移動体向けデジタル放送は、固定向けデジタル放送に比べて解像度が粗いため、相対的に映像・音声の質の低下を招かざるを得ない。一方、固定向けデジタル放送は、映像・音声の質を極めて高く保つことはできるが、移動によるフェージング等により受信電力の変動が生じるため或いは移動体向けデジタル放送に比べて非受信となる受信レベルが高いため、移動体の移動中における受信に対して不向きである。そこで、従来の受信装置においては、移動速度や環境などの状況によっては移動体でも相対的に高品位の固定向け放送を受信できる可能性があることを考慮して、同一番組を放送するサイマル放送が行われる状況で、受信・出力する放送が固定向けデジタル放送と移動体向けデジタル放送とで適宜選択的に切り替わるようにしている。
【０００４】
また、デジタル放送の受信状況が大きく変化する状況下にあっても、音声の途切れを防止するとともに、受信可能な映像の品質を可能な限り高品質化することができ、全体的な受信放送品質の向上を図ることができるデジタル放送受信装置が開示されている（例えば、特許文献１参照）。
【０００５】
このデジタル放送受信装置によれば、デジタル放送を受信して出力する場合において、音声出力に関しては、常時、同一のデジタル音声信号、具体的には移動体向けデジタル放送信号を利用し、映像出力に関しては、受信品質の高低に応じて、第１のデジタル映像信号、具体的には移動体向けデジタル放送信号と第２のデジタル映像信号、具体的には固定向けデジタル放送信号とを切り換えて利用する。
【特許文献１】特開２００４−３１２３６１号公報
【発明の開示】
【発明が解決しようとする課題】
【０００６】
しかしながら、上述した背景技術には以下の問題がある。
【０００７】
音声出力に関して、移動体向けデジタル放送信号を利用するようにした場合、ユーザは常に、固定向けデジタル信号より音質の劣る移動体向けデジタル放送信号を利用しなくてはならない。例えば、固定向けデジタル信号を利用した場合には５．１ｃｈサラウンド番組を利用できるのに対して、移動体向けデジタル放送信号を利用した場合には２ｃｈステレオ放送を利用できるにとどまる。従って、ユーザとしては、固定向けデジタル放送を利用できる場合には、音声も含めて固定向けデジタル放送を利用したいという要求がある。
【０００８】
また、従来のデジタル放送受信装置では、移動体向けデジタル放送信号と、固定向けデジタル信号とが切り替えられる場合には、音声信号の復号時間より、映像信号の復号時間の方が長く、映像の復号が遅れる場合がある。このため、音声の復号も映像の復号と同期させてから出力される。言い換えれば、映像出力と音声出力とがずれないように、映像信号と音声信号の両方の復号が終了してから、映像及び音声の出力が行われる。このようにした場合、映像を復号する時間だけ音声が途切れることになり、放送内容が理解できなくなる問題がある。
【０００９】
そこで、本発明は、上述の点に鑑みてなされたものであり、固定向けデジタル放送と移動体向けデジタル放送とを切り替える場合に、音質の劣化を低減しつつ、音声の途切れ時間を短縮することができる移動体用デジタル放送受信装置及びその制御方法を提供することを目的とする。
【課題を解決するための手段】
【００１０】
上記課題を解決するため、本発明の移動体用デジタル放送受信装置は、
移動体に搭載され、地上波デジタルテレビジョン放送を受信し、表示する移動体用デジタル放送受信装置であって、前記地上波デジタルテレビジョン放送は、固定受信装置向けデジタル放送と、移動体受信装置向けデジタル放送とを含み、
前記固定受信装置向けデジタル放送と、前記移動体受信装置向けデジタル放送とを受信状況に応じて切り替える切り替え手段と、
前記切り替えられた地上波デジタルテレビジョン放送に対応する映像信号を復号する映像信号復号手段と、
前記切り替えられた地上波デジタルテレビジョン放送に対応する音声信号を復号する音声信号復号手段と、
前記復号された映像及び音声を同期させて出力する出力手段と
を有し、
前記出力手段は、復号された順に、復号された音声信号及び映像信号を出力することを特徴の１つとする。
【００１１】
このように構成することにより、固定向けデジタル放送と移動体向けデジタル放送とを切り替える場合に、切り替えられた地上波デジタルテレビジョン放送に対応する映像信号及び音声信号が復号されるため、音質の劣化を低減できる。さらに、復号された順に、復号された音声信号及び映像信号が出力されるため、映像、音声の両方が出力されない時間を短縮できる。
【００１２】
さらに別の構成例では、
前記映像信号には、対象とする映像と、該対象とする映像の以前の再生映像との変化量を示す差分情報が含まれ、
前記出力手段は、前記映像信号復号手段に差分情報が入力された場合に、音声を出力した後に、該音声に同期させて映像を出力するように構成される。
【００１３】
このように構成することにより、映像信号復号手段に差分情報が入力された場合には、再生画像が入力されるまで復号ができないため、音声信号の復号よりも時間がかかる。このような場合に、音声を出力した後に、該音声に同期させて映像を出力されるため、音声の途切れ時間を短縮できる。
【００１４】
本発明の移動体用デジタル放送受信装置の制御方法は、
移動体に搭載され、地上波デジタルテレビジョン放送を受信し、表示する移動体用デジタル放送受信装置における制御方法であって、
前記地上波デジタルテレビジョン放送は、固定受信装置向けデジタル放送と、移動体受信装置向けデジタル放送とを含み、
前記固定受信装置向けデジタル放送と、前記移動体受信装置向けデジタル放送とを受信状況に応じて切り替える切り替えステップと、
前記切り替えられた地上波デジタルテレビジョン放送に対応する映像信号を復号する映像信号復号ステップと、
前記切り替えられた地上波デジタルテレビジョン放送に対応する音声信号を復号する音声信号復号ステップと、
前記復号された映像及び音声を同期させて出力する出力ステップと
を有し、
前記出力ステップは、復号された順に、復号された音声信号及び映像信号を出力することを特徴の１つとする。
【００１５】
このようにすることにより、固定向けデジタル放送と移動体向けデジタル放送とを切り替える場合に、切り替えられた地上波デジタルテレビジョン放送に対応する映像信号及び音声信号が復号されるため、音質の劣化を低減できる。さらに、復号された順に、復号された音声信号及び映像信号が出力されるため、映像、音声の両方が出力されない時間を短縮できる。
【発明の効果】
【００１６】
本発明の実施例によれば、固定向けデジタル放送と移動体向けデジタル放送とを切り替える場合に、音質の劣化を低減しつつ、音声の途切れ時間を短縮することができる移動体用デジタル放送受信装置及びその制御方法を実現できる。
【発明を実施するための最良の形態】
【００１７】
次に、本発明を実施するための最良の形態を、以下の実施例に基づき図面を参照しつつ説明する。
【００１８】
なお、実施例を説明するための全図において、同一機能を有するものは同一符号を用い、繰り返しの説明は省略する。
【００１９】
本発明の実施例に係る移動体用デジタル放送受信装置について、図１を参照して説明する。
【００２０】
本実施例に係る移動体用デジタル放送受信装置１００は、移動体に搭載され、各放送局から中継局等を介して送信される地上波デジタルテレビジョン(DTV:  Digital  Television)放送を受信する。移動体には、車両が含まれる。
【００２１】
地上波デジタルＴＶ放送では、各放送局に割り当てられた伝送帯域が複数のセグメントに分割され、１つ以上のセグメントで構成される階層を複数同時に伝送する階層伝送が行われる。階層伝送では、階層を構成するセグメント数が多いほど、高解像度の映像を伝送できるが、車両等において移動中にデータ誤り無く受信するのは困難になる。そこで、例えば、日本が準拠しているＩＳＤＢ−Ｔ(Integrated  Services  Digital  Broadcasting for  Terrestrial)方式では、１チャネルのデジタル放送用帯域を１３個のセグメントに分割し、その中の１２個のセグメントを使用して固定受信装置向けに高解像度の映像を提供し、残りの１個のセグメントを使用して移動体受信装置向けに伝送誤りに対する耐性の高い伝送方式による低解像度の映像を提供する。
【００２２】
１２個のセグメントを使用した固定受信装置向けのデジタル放送（以下、固定向けデジタル放送と呼ぶ）は、例えばＭＰＥＧ−２(Moving  Picture  Experts  Group  phase  2)により圧縮され符号化された高ビットレートの放送であり、１個のセグメントを使用した移動体受信装置向けのデジタル放送（以下、移動体向けデジタル放送と呼ぶ）は、例えばＨ．２６４により圧縮され符号化された低ビットレートの放送である。Ｈ．２６４は、ＭＰＥＧ−４  ＡＶＣ(MPEG-4  Part  10  Advanced  Video  Coding)とも呼ばれてもよい。
【００２３】
固定向けデジタル放送は、高ビットレートのため、映像・音声の質が極めて優れている。一方、移動体向けデジタル放送は、低ビットレートのため、映像・音声の質が相対的に劣る。例えば、上述したように、音声信号に関しては、固定向けデジタル信号を利用した場合には５．１ｃｈサラウンド番組を利用できるのに対して、移動体向けデジタル放送信号を利用した場合には２ｃｈステレオ放送を利用できるにとどまる。また、固定向けデジタル放送は、高ビットレートに起因して移動時にフェージング等による受信電力の変動が生じるため或いは非受信となる受信レベルが高いため、移動体の移動中における受信に対して不向きである。一方、移動体向けデジタル放送は、低ビットレートのため、移動体での受信に適している。
【００２４】
本実施例に係る移動体用デジタル放送受信装置１００は、固定向け放送と移動体向け放送の受信切替が行われる場合に、映像と音声の両方が復号されてから、映像及び音声の出力を行うのではなく、音声信号の復号ができ次第出力する。固定向け放送と移動体向け放送の受信切替は、該移動体用デジタル放送受信装置１００が搭載された車両周辺の電波状態に基づいて行われる。上述したように、デジタル放送の映像信号は固定向けデジタル放送の場合にはＭＰＥＧ−２、移動体向けデジタル放送の場合にはＨ．２６４により圧縮符号化されているため、その復号に、音声信号の復号よりも時間がかかる。このようにすることにより、音声信号は復号できているにもかかわらず、映像信号の復号を待って映像と音声を同時に出力することによる音声が途切れる時間を短縮できる。
【００２５】
本実施例に係る移動体用デジタル受信放送装置１００は、地上波デジタルテレビジョン放送の放送波を受信するアンテナ１０２と、該アンテナ１０２に接続されたフロントエンド部１０４と、該フロントエンド部１０４に接続されたＯＦＤＭ(Orthogonal  Frequency  Division  Multiplexing:  直交周波数分割多重）復調部１０６と、該ＯＦＤＭ復調部１０６に接続された切替制御部１０８と、該切替制御部１０８と接続された固定向けデジタル放送デコード部１１０及び移動体向けデジタル放送デコード部１１６と、固定向けデジタル放送デコード部１１０及び移動体向けデジタル放送デコード部１１６と接続されたＤＴＶ出力部１２２と、ＤＴＶ出力部１２２と接続された車両ディスプレイ１２４及び車両オーディオ１２６とを備える。固定向けデジタル放送デコード部１１０及び移動体向けデジタル放送デコード部１１６は、それぞれ映像信号デコード部１１２及び１１８と、音声信号デコード部１１４及び１２０とを備える。また、本実施例に係る移動体用デジタル受信放送装置１００は、フロントエンド部１０４、ＯＦＤＭ復調部１０６及び切替制御部１０８と接続された受信状況判定部１１２を備える。アンテナ１０２、フロントエンド部１０４及びＯＦＤＭ復調部１０６は、固定向けデジタル放送と移動体向けデジタル放送とで共用される。
【００２６】
フロントエンド部１０４は、選局されたチャンネルのチャンネル周波数に同調し、アンテナ１０２に受信された放送波を中間周波数に変換し増幅する。そして、フロントエンド部１０４は、中間周波数の信号レベルを検出し、その信号レベルに基づいてアンテナ１０２に受信される放送波のレベル変化（受信電界強度）を検出し、検出結果を放送波の受信状況データとして、受信状況判定部１１２に入力する。また、受信状況データとして、受信電力を検出するようにしてもよい。
【００２７】
ＯＦＤＭ復調部１０６は、フロントエンド部１０４により入力された放送信号の復調・復号を行う。ＯＦＤＭ復調部１０６は、放送信号を同期しながら復調し、誤り検出及び訂正を行った後に復号したトランスポートストリーム（TS:  Transport  Stream）を切替制御部１０８に入力する。ＯＦＤＭ復調部１０６は、ＴＳのパケットエラーの有無からその発生率を測定し、或いは、誤り訂正前後のビットエラー率を検出し、発生率或いは検出結果を放送波の受信状況データとして、受信状況判定部１１２に入力する。また、受信状況データとして、受信率を検出するようにしてもよい。受信率とは、全受信期間における、音声又は映像が正確に出力できている期間の割合を示す。例えば、ビットエラー率が含まれる。
【００２８】
固定向けデジタル放送デコード部１１０は、地上波デジタルテレビジョン放送のうち固定向けデジタル放送に関する放送信号をデコード（復号）し、復号された映像・音声信号をＤＴＶ出力部１２２へ入力する。固定向けデジタル放送デコード部１１０は、ＯＦＤＭ復調部１０６から切替制御部１０８を介して入力されたＴＳを、映像信号デコード部１１２において映像に変換し、音声信号デコード部１１４において音声に変換する。例えば、固定向けデジタル放送デコード部１１０の映像信号デコード部１１２は、有料放送などの暗号化されたＴＳを所定の暗号キーを用いて解読する。例えば、動画像が圧縮符号化される場合には、対象とする映像（フレーム）と、該対象とする映像の以前の映像（フレーム）との変化量を示す差分情報が圧縮符号化の対象とされる。以前の時刻に符号化され、次のタイミングで使用するために復号された再生画像（映像）は、「参照画像（映像）」又は「予測画像（映像）」と呼ばれてもよい。映像信号デコード部１１２は、差分情報から差分データを復号し、以前の再生画像に加算することにより新しい再生画像を生成する。このため、例えば、移動体向けデジタル放送から固定向けデジタル放送への自動切り替えが行われ、映像信号デコード部１１２に最初に差分情報が入力された場合には、切り替え後のデジタル放送、ここでは、固定向けデジタル放送に対応する再生画像が入力されるまで、映像信号の復号ができない。このため、音声信号と比較して、映像信号の復号が遅れる。従って、音声信号の復号時間より、映像信号の復号時間の方が長くなるため、復号された音声信号、復号された映像信号の順に、ＤＴＶ出力部１２２に入力される。また、映像信号の復号時間より、音声信号の復号時間の方が長い場合には、復号された映像信号、復号された音声信号の順に、ＤＴＶ出力部１２２に入力されるようにしてもよい。
【００２９】
移動体向けデジタル放送デコード部１１６は、地上波デジタルテレビジョン放送のうち移動体向けデジタル放送に関する放送信号をデコードし、復号された映像・音声信号をＤＴＶ出力部１２２へ入力する。移動体向けデジタル放送デコード部１１６は、ＯＦＤＭ復調部１０６から切替制御部１０８を介して入力されたＴＳを映像信号デコード部１１８において映像信号に変換し、音声信号デコード部１２０において音声信号に変換する。例えば、移動体向けデジタル放送デコード部１１６の映像信号デコード部１１８は、有料放送などの暗号化されたＴＳを所定の暗号キーを用いて解読する。例えば、例えば、動画像が圧縮符号化される場合には、対象とする映像（フレーム）と以前の映像（フレーム）との変化量を示す差分情報が圧縮符号化の対象とされる。以前の時刻に符号化され、次のタイミングで使用するために復号された再生画像（映像）は、「参照画像」又は「予測画像」と呼ばれてもよい。映像信号デコード部１１８は、差分情報から差分データを復号し、以前の再生画像に加算することにより新しい再生画像を生成する。このため、例えば、固定向けデジタル放送から移動体向けデジタル放送に自動切り替えが行われ、最初に差分情報が入力された場合には、切り替え後のデジタル放送、ここでは、移動体向けデジタル放送に対応する再生画像が入力されるまで、映像信号の復号ができない。このため、音声信号と比較して、映像信号の復号が遅れる。従って、音声信号の復号時間より、映像信号の復号時間の方が長くなるため、復号された音声信号、復号された映像信号の順に、ＤＴＶ出力部１２２に入力される。また、映像信号の復号時間より、音声信号の復号時間の方が長い場合には、復号された映像信号、復号された音声信号の順に、ＤＴＶ出力部１２２に入力されるようにしてもよい。
【００３０】
ＤＴＶ出力部１２２は、車両に乗車する乗員に視聴可能なディスプレイ（表示部）やスピーカを制御する。ＤＴＶ出力部１２２は、デジタル放送を表示することが選択された場合には、固定向けデジタル放送デコード部１１０又は移動体向けデジタル放送デコード部１１６により入力された映像・音声信号を映像として車両ディスプレイ１２４に表示したり或いは音声として車両オーディオ１２６から出力したりする。例えば、ＤＴＶ出力部１２２は、復号された音声信号、復号された映像信号の順に、ＤＴＶ出力部１２２に入力された場合には、音声信号デコード部１１４又は１２０により入力された音声信号を音声オーディオ１２６から出力し、その後、映像信号デコード部１１２又は１１８により入力された映像信号を車両ディスプレイ１２４から、音声（信号）と同期をとって出力する。その結果、図２に示すように、従来では、固定向け放送と移動体向け放送の受信切替が行われる場合に、映像と音声の両方が復号されてから、映像及び音声の出力が行われていたが、本実施例では、復号時間の短い順に例えば、音声、映像の順に出力される。言い換えれば、音声信号の復号処理の終了後、映像信号の復号処理が終了するまでの時間（出力待ち時間）の間は、音声出力だけが行われる。従って、映像と音声を同時に出力することにより生じる音声途切れ時間を短縮できる。言い換えれば、映像も音声も出力されない時間を短縮できる。また、ＤＴＶ出力部１２２は、復号された映像信号、復号された音声信号の順に、ＤＴＶ出力部１２２に入力された場合には、映像信号デコード部１１２又は１１８により入力された映像信号を車両ディスプレイ１２４から出力し、その後、音声信号デコード部１１４又は１２０により入力された音声信号を車両オーディオ１２６から映像（信号）と同期をとって出力するようにしてもよいし、復号された映像信号及び復号された音声信号を、同期をとって、それぞれ車両ディスプレイ１２４及び車両オーディオ１２６から同時に出力するようにしてもよい。
【００３１】
このように、固定向けデジタル放送デコード部１１０又は移動体向けデジタル放送デコード部１１６により入力された復号された映像信号及び音声信号を異なるタイミングで同期をとって出力することにより、音声信号の復号時間より、映像信号の復号時間の方が長い場合には、音声信号が復号されてから映像信号の復号が終了するまでの間、音声出力が途切れることがなくなる。また、映像信号の復号時間より、音声信号の復号時間の方が長い場合には、映像信号が復号されてから音声信号の復号が終了するまでの間、映像出力が途切れることがなくなる。
【００３２】
車両ディスプレイ１２４は、固定向けデジタル放送デコード部１１０又は移動体向けデジタル放送デコード部１１６により入力された映像信号を、映像として出力する。すなわち、地上波デジタルテレビジョン放送の表示（映像出力）を行う。地上波デジタルテレビジョン放送には、固定向けデジタル放送と、移動体向けデジタル放送とが含まれる。
【００３３】
車両オーディオ１２６は、固定向けデジタル放送デコード部１１０又は移動体向けデジタル放送デコード部１１６により入力された音声信号を、音声として出力する。
【００３４】
受信状況判定部１１２は、フロントエンド部１０４及びＯＦＤＭ復調部１０６により入力された受信状況データに基づいて、固定向け放送を受信できるか否かを判定する。ここで、受信状況データには、受信電界強度、受信電力、ＴＳのパケットエラー、ビットエラー率、受信率が含まれる。例えば、受信電界強度及び受信電力はフロントエンド部１０４により入力され、ＴＳのパケットエラー、ビットエラー率及び受信率はＯＦＤＭ復調部１０６により入力される。例えば、受信状況判定部１１２は、固定向けデジタル放送の放送波に関する受信状況の良否を示す程度（度合い）を求め、該受信状況の良否を示す程度に基づいて、固定向けデジタル放送を受信できるか否かを判定する。受信状況の良否を示す程度には、例えば、単位時間当たりにおける音声・映像を正常に出力する期間（累計）の割合（受信率）や受信電力、ビットエラー率自体等が含まれる。
【００３５】
切替制御部１０８は、アンテナ１０２により受信された固定向けデジタル放送と移動体向けデジタル放送との何れの放送波をＤＴＶ出力部１２２から出力させるかを判断する。
切替制御部１０８は、受信状況判定部１１２により入力される固定向け放送を受信できるか否かの判定結果に基づいて、固定向けデジタル放送と移動体向けデジタル放送との何れの放送波をＤＴＶ出力部１２２から出力させるかを判断する。具体的には、切替制御部１０８は、受信状況判定部１１２により入力される固定向けデジタル放送を受信できるか否かの判定結果に基づいて、固定向けデジタル放送を受信できる場合には、固定向けデジタル放送を表示させると判断し、固定向けデジタル放送の放送波を固定向けデジタル放送デコード部１１０に入力し、固定向けデジタル放送を受信できない場合には、移動体向けデジタル放送を表示させると判断し、移動体向けデジタル放送の放送波を移動体向けデジタル放送デコード部１１６に入力する。
【００３６】
本実施例に係るデジタル放送受信装置１００が搭載された移動体、例えば車両が、移動体向けデジタル放送受信エリアと固定向けデジタル放送受信エリアとを跨いで走行する場合がある。
【００３７】
この場合、本実施例によれば、図３に示すように、地上波デジタル放送の切り替えが行われる場合に、音声信号の復号ができ次第、音声出力が行われるので、音声途切れの時間を短縮できる。ここで、放送の切り替えには、移動体向けデジタル放送（ワンセグ）から固定向けデジタル放送（１２セグ）への切り替え、固定向けデジタル放送（１２セグ）から移動体向けデジタル放送（ワンセグ）への切り替えが含まれる。
【００３８】
次に、本実施例に係る移動体用デジタル放送受信装置１００の動作について、図４を参照して説明する。
【００３９】
切替制御部１０８は、受信状況判定部１１２により入力される固定向けデジタル放送を受信できるか否かの判定結果に基づいて、該判定結果が固定向けデジタル放送を受信できることを示すものであるか否かを判定する（ステップＳ４０２）。
【００４０】
判定結果が固定向けデジタル放送を受信できるものである場合（ステップＳ４０２：ＹＥＳ）、切替制御部１０８は、固定向けデジタル放送を受信すると判断し、固定向けデジタル放送の放送波を固定向けデジタル放送デコード部１１０に入力する。
【００４１】
映像信号デコード部１１２は、入力された映像信号に基づいて、該映像信号に差分情報が含まれているか否かを判断する（ステップＳ４０４）。
【００４２】
映像信号に差分情報が含まれていると判断された場合（ステップＳ４０４：ＹＥＳ）、映像信号デコード部１１２は、固定向けデジタル信号に対応する再生画像が入力されるまで、映像信号復号ができないため、音声信号と比較して、映像信号の復号が遅れる。
【００４３】
ＤＴＶ出力部１２２は、復号された音声信号が入力された場合、該音声を出力する（ステップＳ４０６）。具体的には、ＤＴＶ出力部１１８は、音声信号デコード部１１４により入力された音声信号を音声として車両オーディオ１２６から出力する。
【００４４】
ＤＴＶ出力部１２２は、復号された映像信号が入力された場合、該映像を既に出力されている音声と同期をとって出力する（ステップＳ４０８）。ＤＴＶ出力部１２２は、映像信号デコード部１１２により入力された映像信号を映像として車両ディスプレイ１２４に表示する。
【００４５】
一方、映像信号に差分情報が含まれていないと判断された場合（ステップＳ４０４：ＮＯ）、映像信号デコード部１１２には、再生画像が入力されるため、映像信号と音声信号は、ほぼ同時に復号される。
【００４６】
ＤＴＶ出力部１２２は、復号された音声信号及び映像信号が入力された場合、該音声及び映像を、同期をとって出力する（ステップＳ４１０）。ＤＴＶ出力部１２２は、映像信号デコード部１１２及び音声信号デコード部１１４により入力された映像信号及び音声信号を、それぞれ映像として車両ディスプレイ１２４に表示したり或いは音声として車両オーディオ１２６から出力したりする。
【００４７】
ステップＳ４０２において、判定結果が固定向けデジタル放送を受信できるものでない場合（ステップＳ４０２：ＮＯ）、切替制御部１０８は、移動体向けデジタル放送を受信すると判断し、移動体向けデジタル放送の放送波を移動体向けデジタル放送デコード部１１６に入力する。
【００４８】
映像信号デコード部１１８は、入力された映像信号に基づいて、該映像信号に差分情報が含まれているか否かを判断する（ステップＳ４１２）。
【００４９】
映像信号に差分情報が含まれていると判断された場合（ステップＳ４１２：ＹＥＳ）、映像信号デコード部１１８は、移動体向けデジタル信号に対応する再生画像が入力されるまで、映像信号復号ができないため、音声信号と比較して、映像信号の復号が遅れる。
【００５０】
ＤＴＶ出力部１２２は、復号された音声信号が入力された場合、該音声を出力する（ステップＳ４１４）。ＤＴＶ出力部１２２は、音声信号デコード部１２０により入力された音声信号を音声として車両オーディオ１２６から出力する。
【００５１】
ＤＴＶ出力部１２２は、復号された映像信号が入力された場合、該映像を既に出力されている音声と同期をとって出力する（ステップＳ４１６）。ＤＴＶ出力部１１８は、映像信号デコード部１１８により入力された映像信号を映像として車両ディスプレイ１２４に表示する。
【００５２】
一方、映像信号に差分情報が含まれていないと判断された場合（ステップＳ４１２：ＮＯ）、映像信号デコード部１１８には、再生画像が入力されるため、映像信号と音声信号は、ほぼ同時に復号される。
【００５３】
ＤＴＶ出力部１２２は、復号された音声信号及び映像信号が入力された場合、該音声及び映像を、同期をとって出力する（ステップＳ４１８）。ＤＴＶ出力部１２２は、映像信号デコード部１１８及び音声信号デコード部１２０により入力された映像信号及び音声信号を、それぞれ映像として車両ディスプレイ１２４に表示したり或いは音声として車両オーディオ１２６から出力したりする。
【００５４】
その後、切替制御部１０８は、そのままの状態で待機する（ステップＳ４２０）。すなわち、切替制御部１０８は、ステップＳ４０２において判断された放送波の入力処理を所定の時間継続して行う。ここで、所定の時間とは、電波環境が変化する程度の時間である。電波環境は、車両の位置する場所等により変化する。また、車両の走行速度の上昇に伴うフェージングの影響により、電波環境は変化する。この所定の時間は一定の時間としてもよいし、電波の受信レベルなどに応じて変更するようにしてもよい。電波の受信レベルに応じて変更する場合には、受信状況判定部１１２は、切替制御部１０８に受信レベルを入力する。以上の制御により、車両ディスプレイ１２０には、固定向けデジタル放送又は移動体向けデジタル放送が表示される。その後、ステップＳ４０２に戻る。
【００５５】
本実施例によれば、固定向けデジタル放送と移動体向けデジタル放送との受信の切替が行われる場合に、切り替えられた地上波デジタルテレビジョン放送に対応する音声信号が復号されるため、音質の劣化を低減できる。さらに、音声の復号ができ次第出力されるので、音声の途切れ時間を短縮できる。すなわち、固定向けデジタル放送と移動体向けデジタル放送との受信の切替が行われる場合に、少なくとも音声の途切れ時間は短縮できるため、ユーザの満足度を向上させることができる。
【００５６】
上述した実施例では、一例としてデジタル放送受信装置が車両に搭載される場合に付いて説明したが、車両以外にも、携帯電話、ポータブルデジタルテレビ受信装置にも適用できる。
【００５７】
説明の便宜上、発明の理解を促すため具体的な数値例を用いて説明されるが、特に断りのない限り、それらの数値は単なる一例に過ぎず適切な如何なる値が使用されてよい。
【００５８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００５９】
【図１】本発明の一実施例にかかる移動体用デジタル放送受信装置を示す部分ブロック図である。
【図２】映像と音声の同期待ちを示す説明図である。
【図３】自動切り替えが行われる場合における映像、音声の出力状況を示す説明図である。
【図４】本発明の一実施例にかかるデジタル放送受信装置の制御方法を示すフロー図である。
【符号の説明】
【００６０】
１００  移動体用デジタル放送受信装置
１０２  アンテナ
１０４  フロントエンド部
１０６  ＯＦＤＭ復調部
１０８  切替制御部
１１０  固定向けデジタル放送デコード部
１１２、１１８  映像信号デコード部
１１４、１２０  音声信号デコード部
１１６  移動体向けデジタル放送デコード部
１２２  ＤＴＶ出力部
１２４  車両ディスプレイ
１２６  車両オーディオ
【図１】
2009212779.tif 000003
【図２】
2009212779.tif 000004
【図３】
2009212779.tif 000005
【図４】
2009212779.tif 000006